(57)【特許請求の範囲】
【請求項１】
ハンディターミナルを用いて入力されたメニューを含むオーダ−データをオーダー管理手段に送信可能に形成されたオーダーデータ処理装置において、
前記ハンディターミナルの分類キーを押圧操作した場合にメニューテーブルに記憶されている当該分類に属する複数のメニューをタッチパネル付き表示器に一覧表示可能かつ表示されたメニューをタッチ操作することにより当該メニューを入力可能であるとともに、
押圧操作された分類キーに属する複数のメニューがメニューテーブルに記憶されていない場合に、当該分類に属するメニューについて前記オーダー管理手段に問い合わせ可能かつ前記オーダー管理手段から応答された複数のメニューを当該分類キーに対応させて前記メニューテーブルに記憶可能に形成されているオーダーデータ処理装置。
【請求項２】
ハンディターミナルを用いて入力されたメニューを含むオーダ−データをオーダー管理手段に送信可能に形成されたオーダーデータ処理装置において、
前記ハンディターミナルの分類キーを押圧操作した場合にメニューテーブルに記憶されている当該分類に属する複数のメニューをタッチパネル付き表示器に一覧表示可能かつ表示されたメニューをタッチ操作することにより当該メニューを入力可能であるとともに、
前記ハンディターミナルに、押圧操作された分類キーに属する複数のメニューがメニューテーブルに記憶されているか否かを判別する記憶有無判別手段と，この記憶有無判別手段によって記憶されていないと判別された場合に当該分類キーに属するメニューを前記オーダー管理手段に問い合わせる問合手段と，オーダー管理手段から応答されたメニューを当該分類キーに対応させてメニューテーブルに記憶する記憶制御手段とを設け、
前記オーダー管理手段に、各分類キーに属する複数のメニューを記憶する分類別メニューファイルと，前記各ハンディターミナルからの問い合わせを受信した場合に分類別メニューファイルを検索して当該分類キーに属する複数のメニューを抽出するメニュー抽出手段と，抽出されたメニューを当該各ハンディターミナルに応答する応答手段とを設けた、オーダーデータ処理装置。
【請求項３】
前記メニューテーブルに入力頻度の多い分類キーの複数メニューを優先的に記憶可能に形成されている請求項１または請求項２記載のオーダーデータ処理装置。
【請求項４】
前記ハンディターミナルに、分類キーの入力頻度を検出する入力頻度検出手段と，検出された入力頻度を前記メニューテーブルに記憶されている当該分類キーに対応させて記憶する入力頻度対応記憶制御手段と，前記メニューテーブルに記憶されている入力頻度の一番少ない分類キーを判別する判別手段，この判別手段によって入力頻度が一番少ないと判別された分類キーに属する複数メニューを前記メニューテーブルから削除する削除手段とを設け、前記メニューテーブルが記憶フルの場合に入力頻度が一番少ない分類キーに属する複数メニューの削除後に前記オーダー管理手段から応答された新規メニューを記憶可能に形成されている請求項２または請求項３記載のオーダーデータ処理装置。
【請求項５】
前記削除手段が、前記記憶制御手段によって前記メニューテーブルに記憶されている入力頻度が一番少ない分類キーに属する複数メニュー上に前記オーダー管理手段から応答された新規メニューがオーバーライトされることにより、前記メニューテーブルに記憶されていた入力頻度が一番少ない分類キーに属する複数メニューを削除したものと形成されている請求項４記載のオーダーデータ処理装置。
【発明の詳細な説明】
【０００１】
【発明の属する技術分野】
本発明は、ハンディターミナルの分類キーを押圧操作した場合にメニューテーブルに記憶されている当該分類に属する複数のメニューをタッチパネル付き表示器に一覧表示可能かつ表示されたメニューをタッチ操作することにより当該メニューを入力可能であるとともに、入力されたメニューを含むオーダ−データをオーダー管理手段に送信可能に形成されたオーダーデータ処理装置に関する。
【０００２】
【従来の技術】
従来のオーダーデータ処理装置は、図９に示すように、オーダーメニューを入力する複数のハンディターミナル１０Ｐと，入力されたオーダーデータを管理するオーダー管理手段７０（無線親局７８）と，オーダーデータについて会計処理を行う会計手段９０とから構成され、さらに伝票発行用プリンタ８０と厨房４００に配設されたキッチンプリンタ８５とを設けている。会計手段９０は、店舗出入口（会計所）３００に配設されている。
【０００３】
かくして、係員ＷＲＫは、客室１００内の各テーブル（座席）１０１を廻って、携帯するハンディターミナル１０Ｐを用いて各客ＣＳＴのオーダーメニューを含むオーダーデータを順番に入力する。オーダーデータには、テーブル番号，人数等が含まれる。
【０００４】
オーダーデータは、オーダー管理手段７０で管理されるとともに、この手段７０から両プリンタ８０，８５に転送される。厨房４００では、キッチンプリンタ８５から発行されたオーダー伝票に基づき調理を開始する。伝票発行用プリンタ８０から発行されたカスタマー伝票は、当該係員ＷＲＫによって当該客ＣＳＴが着席するテーブル１０１に置かれる。
【０００５】
係員ＷＲＫは、ときどき厨房４００を覗き自己担当の調理済メニューがあると、これを当該客ＣＳＴへ配膳し、カスタマー伝票に手書きチェックを入れる。
【０００６】
飲食後の客ＣＳＴからカスタマー伝票を受取ったキャッシャーが、会計手段９０を用いて伝票番号等を入力すると、当該オーダーデータがオーダー管理手段７０からデータ通信回線７９を介して転送されてくる。そして、そのオーダーデータについて会計処理する。かくして、多数客の多数オーダーメニューについて正確に管理処理できるとともに店舗実稼動率を高められる。
【０００７】
ここに、従来のハンディターミナル１０Ｐは、図１０に示す如く、本体１５ＢＰの表面の大部分に複数の押圧操作型のメニューキー６１ＫＰを有するメニューキー部６０Ｐを配置し、その上部に表示部４９Ｐを設けた構造とされている。しかし、この構造では、携帯性からの平面形状（大きさ）の制限および取い扱い（押圧操作性）の点から、メニューキー６１ＫＰの数を増大できない。
【０００８】
そこで、図１１に示すように、本体をヒンジ１９Ｐで連結された２枚扉体構造（１１Ｐ，１５Ｐ）として、それぞれにメニューキー部６０Ｐ１，６０Ｐ２と表示部４９Ｐ１，４９Ｐ２とを設け、メニューキー６１ＫＰを図１０の場合に比較して増大可能にしたものがある。しかし、この構造でも、２倍数以上には増大できないばかりか、機械的に重くなる問題がある。
【０００９】
また、図１０，図１１に示すいずれかの構造で、各メニューキー（６１ＫＰ）をタッチ操作型の表示キーに代えたものも提案されているが、本質的には上記場合と変わらない。むしろ、隣接表示キーの誤接触防止化のために、キー数は図１０，図１１の場合よりも少なくなる。
【００１０】
【発明が解決しようとする課題】
すなわち、押圧操作型およびタッチ操作型のいずれの場合でも、メニューキーを１または２平面内に並列配設するだけでは、数量的に、その数が不足する場合が多くなっている。例えば、１つのメニュー（サラダ）の下位概念的メニュー（和風サラダ，サウザンサラダ，フレンチサラダ，ポテトサラダ，ツナサラダ，…）がある場合、それ以上の追加メニュー用のメニューキーが足らなくなってしまう。また、上位概念的メニューと下位概念的メニューとを同一平面上に並列表示しているので、選択操作に手間が掛るばかりか、ミス入力が生じ易い。
【００１１】
操作的に、表示メニューキーは、同一平面上に並列表示する限りにおいて、大きさが同じ押圧操作型のメニューキーの場合に比較して、上下左右の隣接キーに触れ易い。この点からも、ミス操作が生じ易い。これを回避するためには、慎重な操作が必要となるので、却ってメニュー入力の遅速化を招く。
【００１２】
さらに、メニューキー入力との関係上必須で頻繁に使用する転送キー，エンターキー等がメニューキーと同じ型と大きさで配置されているので、それらの取い扱いも難しい。
【００１３】
そこで、本出願人は、各メニューは幾つかのグループに分類できることに着目し、例えば上記した上位概念的メニューを“分類キー”とし、各“分類キー”を押圧操作することにより当該分類に属する下位概念的な複数のメニュー（メニューキー）を表示可能に構成したハンディターミナルを試行してみた。これによれば、見掛け上、平面同一として非常に多数のメニューキーを設けることができ、かつ迅速・正確なメニュー入力ができる。
【００１４】
しかし、例えば従来例（図１０，図１１）における全てのメニューキーを分類キーに代えたことを考えると、各分類に属するメニュー数が膨大化してメモリの大容量化ひいてはハンディターミナル自体の大型化，消費電力増大化や検索処理等の遅速化を招くばかりか、各ハンディターミナルの画一的管理が煩雑化し、かつ各分類に属するメニューの追加・変更・削除に多大な労力・時間を必要とし、取り扱いも難しくなる問題が残る。
【００１５】
本発明の目的は、メニューキーの増大化，メモリ小容量化および全体小型化を図りつつオーダーメニューを迅速かつ正確に入力することができる取い扱い容易なハンディターミナルを提供することにある。
【００１６】
【課題を解決するための手段】
請求項１の発明は、ハンディターミナルを用いて入力されたメニューを含むオーダ−データをオーダー管理手段に送信可能に形成されたオーダーデータ処理装置において、前記ハンディターミナルの分類キーを押圧操作した場合にメニューテーブルに記憶されている当該分類に属する複数のメニューをタッチパネル付き表示器に一覧表示可能かつ表示されたメニューをタッチ操作することにより当該メニューを入力可能であるとともに、押圧操作された分類キーに属する複数のメニューがメニューテーブルに記憶されていない場合に、当該分類に属するメニューについて前記オーダー管理手段に問い合わせ可能かつ前記オーダー管理手段から応答された複数のメニューを当該分類キーに対応させて前記メニューテーブルに記憶可能に形成されたオーダーデータ処理装置である。
【００１７】
かかる発明では、入力しようとするメニューが属する分類キーを押圧操作すれば、メニューテーブルに記憶されている当該分類に属する複数のメニューが、タッチパネル付き表示器に一覧表示される。この表示メニューをタッチ操作することにより、当該メニューを入力することができる。したがって、ハンディターミナルの小型化およびメモリの小容量化を図りつつメニューキーを大幅に増大できるとともにタッチ操作でよいから取い扱いが容易であり、迅速かつ正確なメニュー入力を行える。
【００１８】
ここで、押圧操作された分類キーに属する複数メニューがメニューテーブルに記憶されていない場合には、当該分類に属するメニューを、オーダー管理手段に問い合わせする。そして、オーダー管理手段から応答された複数メニューは、当該分類に対応させてメニューテーブルに記憶される。かくして、この場合にも、一覧表示できかつ当該メニューを用いて入力することができる。しかも、各分類キーごとに常に正確な当該複数メニューを記憶更新しなくてもよいから、各ハンディターミナルにおける個別的な準備的作業を大幅に簡略化できかつ取い扱いが簡単である。
【００１９】
また、請求項２の発明は、ハンディターミナルを用いて入力されたメニューを含むオーダ−データをオーダー管理手段に送信可能に形成されたオーダーデータ処理装置において、前記ハンディターミナルの分類キーを押圧操作した場合にメニューテーブルに記憶されている当該分類に属する複数のメニューをタッチパネル付き表示器に一覧表示可能かつ表示されたメニューをタッチ操作することにより当該メニューを入力可能であるとともに、前記ハンディターミナルに、押圧操作された分類キーに属する複数のメニューがメニューテーブルに記憶されているか否かを判別する記憶有無判別手段と，この記憶有無判別手段によって記憶されていないと判別された場合に当該分類キーに属するメニューを前記オーダー管理手段に問い合わせる問合手段と，オーダー管理手段から応答されたメニューを当該分類キーに対応させてメニューテーブルに記憶する記憶制御手段とを設け、前記オーダー管理手段に、各分類キーに属する複数のメニューを記憶する分類別メニューファイルと，前記各ハンディターミナルからの問い合わせを受信した場合に分類別メニューファイルを検索して当該分類キーに属する複数のメニューを抽出するメニュー抽出手段と，抽出されたメニューを当該各ハンディターミナルに応答する応答手段とを設けた、オーダーデータ処理装置である。
【００２０】
かかる発明では、入力しようとするメニューが、タッチパネル付き表示器に一覧表示されている場合には、当該メニューをタッチ操作することにより当該メニューを入力することができる。当該メニューが一覧表示されていない場合には当該メニューが属する分類キーを押圧操作する。
【００２１】
すると、記憶有無判別手段が、押圧操作された分類キーに属する複数のメニューがメニューテーブルに記憶されているか否かを判別する。記憶がないと判別されると、問合手段が当該分類キーに属するメニューをオーダー管理手段に問い合わす。
【００２２】
この問い合わせを受けたオーダー管理手段側のメニュー抽出手段は、分類別メニューファイルを検索して当該分類キーに属する複数のメニューを抽出する。抽出されたメニューは、応答手段によって、当該ハンディターミナルに応答される。
【００２３】
かくして、ハンディターミナル側の記憶制御手段は、オーダー管理手段から応答されたメニューを当該分類キーに対応させてメニューテーブルに記憶する。したがって、当該分類に属する複数のメニューを、タッチパネル付き表示器に一覧表示することができる。つまり、この表示メニューをタッチ操作することにより当該メニューを入力することができる。
【００２４】
したがって、請求項１の発明の場合と同様な作用効果を奏し得ることはもとより、さらに各ハンディターミナルの分類キーの押圧操作をすることにより、当該各分類キーに属する各複数メニューを自動的にメニューテーブルに設定記憶させることができる。かくして、必要なメニューを効率よく記憶・入力することができかつ格別のメニュー設定操作が一掃可能である。しかも、一段と取い扱いが容易である。
【００２５】
また、請求項３の発明は、前記メニューテーブルに入力頻度の多い分類キーの複数メニューを優先的に記憶可能に形成されているオーダーデータ処理装置である。
【００２６】
かかる発明では、メニューテーブルには、入力業務中の分類キーの押圧操作により、入力頻度の多いメニューが属する分類キーの複数メニューが優先的に記憶される。
【００２７】
したがって、請求項１および請求項２の発明の場合と同様な作用効果を奏することができることに加え、さらに各ハンディターミナルの使用状況に応じたメニュー設定を個別的かつ自動的に行えるので実務に即応した運用ができるとともに、メニューテーブルのメモリ容量を小さくでき、かつハンディターミナルの一層の小型軽量化および節電化を促進できる。
【００２８】
さらに、請求項４の発明は、前記ハンディターミナルに、分類キーの入力頻度を検出する入力頻度検出手段と，検出された入力頻度を前記メニューテーブルに記憶されている当該分類キーに対応させて記憶する入力頻度対応記憶制御手段と，前記メニューテーブルに記憶されている入力頻度の一番少ない分類キーを判別する判別手段，この判別手段によって入力頻度が一番少ないと判別された分類キーに属する複数メニューを前記メニューテーブルから削除する削除手段とを設け、前記メニューテーブルが記憶フルの場合に入力頻度が一番少ない分類キーに属する複数メニューの削除後に前記オーダー管理手段から応答された新規メニューを記憶可能に形成されているオーダーデータ処理装置である。
【００２９】
かかる発明では、表示されたメニューのタッチ操作が行われると、入力頻度検出手段が当該メニューの入力頻度を検出する。このようにして検出された入力頻度は、入力頻度対応記憶制御手段によって、メニューテーブルに記憶されている当該分類キーに対応させて記憶される。また、判別手段は、入力頻度の一番少ない分類キーを判別し、必要によって検出結果を記憶しておく。
【００３０】
かくして、メニューテーブルが記憶フルでかつオーダー管理手段から新規メニューの応答があった場合、予め記憶されまたはその場で検出された入力頻度の一番少ない分類がわかるから、削除手段が入力頻度の一番少ない分類キーに属する複数メニューをメニューテーブルから削除する。しかる後に、記憶制御手段がオーダー管理手段から応答された新規メニューをメニューテーブルに記憶する。
【００３１】
したがって、請求項２および請求項３の発明の場合と同様な作用効果を奏することができることに加え、さらにメニューテーブルの一層の小容量化を図れるとともに、不必要なメニューに関する記憶保持および検索処理を一掃できる。
【００３２】
さらにまた、請求項５の発明は、前記削除手段が、前記記憶制御手段によって前記メニューテーブルに記憶されている入力頻度が一番少ない分類キーに属する複数メニュー上に前記オーダー管理手段から応答された新規メニューがオーバーライトされることにより、前記メニューテーブルに記憶されていた入力頻度が一番少ない分類キーに属する複数メニューを削除したものと形成されているオーダーデータ処理装置である。
【００３３】
かかる発明では、記憶制御手段が、オーダー管理手段から応答された新規メニューをメニューテーブルに記憶されている入力頻度が一番少ない分類キーに属する複数メニュー上にオーバーライトすると、入力頻度が一番少ない分類キーに属する元の複数メニューが自動的に削除される。
【００３４】
したがって、請求項４の発明の場合と同様な作用効果を奏することができることに加え、さらに新規メニューの記憶高速化を図れる。
【００３５】
【発明の実施の形態】
以下、本発明の実施形態について図面を参照して説明する。
（第１の実施形態）
本オーダーデータ処理装置は、基本的構成・機能が従来例（図９）の場合と同様とされ、さらに図１〜図３に示す如くハンディターミナル１０の分類キー６１Ｋを押圧操作した場合にメニューテーブル２３ＭＴに記憶されている当該分類（６１Ｋ）に属する複数のメニュー（４１Ｋ）をタッチパネル付き表示器４０に一覧表示可能かつ表示されたメニュー（メニューキー４１Ｋ）をタッチ操作することにより当該メニューを入力可能に形成するとともに、押圧操作された分類キー６１Ｋに属する複数のメニューがメニューテーブル２３ＭＴに記憶されていない場合には当該分類に属するメニューについてオーダー管理手段（７０）に問い合わせ可能かつオーダー管理手段（７０）から応答された複数のメニューを当該分類キー６１Ｋに対応させてメニューテーブル２３ＭＴに記憶可能に形成されている。
【００３６】
この第１の実施形態では、図１〜図４にハンディターミナル１０の構成を示し、図５にステーション（オーダー管理手段）７０の構成を示している。オーダーデータ処理装置を構成する他の構成要素（プリンタ，会計手段等）については、図示省略した。
【００３７】
図１，図２において、ハンディターミナル（ＨＴ）１０は、見開き可能な一方扉体（本体）１１と他方扉体（本体）１５とからなる。一方扉体１１内には、全体構成を概念的に示す図３の制御部（ＣＰＵ２１，ＲＯＭ２２，ＲＡＭ２３）２０と，センサ（ＳＮＲ）部３０と，無線通信部（ＷＬＴ）３５と，タッチパネル付き表示器４０用の駆動制御回路（Ｉ／Ｆ）４０Ｄと，押圧データ入力キー部５０用の駆動制御回路（Ｉ／Ｆ）５０Ｄと，分類キー部６０用の駆動制御回路（Ｉ／Ｆ）６０Ｄとが格納されている。
【００３８】
ＲＡＭ２３は、作業領域を形成する他、オーダーテーブル２３ＯＴおよびメニューテーブル２３ＭＴを形成する。このメニューテーブル２３ＭＴには、図４に示す如く、各分類（分類キー６１Ｋ）に属する複数のメニュー（表示メニューキー４１Ｋ）が対応（割付）記憶される。
【００３９】
例えば、分類“Ｘ…定食”に属するメニューは“Ｘ１…定食Ａ”，“Ｘ２…定食Ｂ”，…，“Ｘ８…特別定食”である。なお、各メニュー“Ｘ１”，“Ｘ２”，…，“Ｘ８”用の各表示メニューキー４１Ｋを表示すべき表示面４１Ｇ内の表示位置およびキーの大きさを設定変更可能に記憶させておくことも好ましい。
【００４０】
この実施形態では、各分類キー６１Ｋの入力回数（Ｎｘｉ，Ｎｙｉ，…）を記憶する場合を示す。ただし、各表示メニューキー４１Ｋの入力（押圧）回数として記憶可能に形成してもよい。
【００４１】
本体（１１，１５）の見開き状態を示す図１において、他方扉体１５の内面１５Ｉの大部分には、複数の分類キー６１Ｋを有する分類ーキー部６０が設けられ、その上方部に覗き窓１７が設けられている。覗き窓１７は、透明プラスチック製である。
【００４２】
分類キー６１Ｋの数は、分類キー６１ＫＰを採用する従来例（図１０，図１１）の場合と同様な数である。大きさ（平面面積）も同様な大きさである。したがって、押圧操作型の分類キー６１Ｋを用いた入力作業については、従来例の場合と同様と言える。
【００４３】
しかし、分類キー６１Ｋを、下位概念的な単品メニュー（例えば、“和風サラダ”）に対する上位概念的な分類メニュー（例えば、“サラダ”）用としてあるので、従来の上位・下位概念的メニューが混在している場合よりも、１つの分類キー６１Ｋを選択する際の作業が簡単で、迅速かつ正確なメニュー入力を達成するのに非常に有効である。
【００４４】
この他方扉体１５とヒンジ１９を介して見開き可能に連結された一方扉体１１の内面１１Ｉの大部分には、タッチパネル付き表示器４０（表示面４１Ｇ）が取り付けられている。
【００４５】
すなわち、表示面４１Ｇには、分類キー６１Ｋを押圧操作することによって、当該分類に属する複数のメニュー（表示メニューキー４１Ｋ）を、図１に示す如く、切替え表示することができる。各表示メニューキー４１Ｋの平面面積（大きさ）は、分類キー６１Ｋの平面面積よりも大きくされている。
【００４６】
例えば、右側の分類キー（“Ｘ”）６１Ｋよりも左側の表示メニューキー（“Ｘ１”，“Ｘ２”等）４１Ｋの方が平面面積大きい。タッチ操作の方が、分類キー６１Ｋの押圧操作の場合に比較して、隣接する他のキー４１Ｋに触れ易くかつそれによりミス入力が生じ易いと言う欠点を一掃化するためである。
【００４７】
また、この実施形態では、具体的なメニュー入力頻度の多い表示メニューキー４１Ｋが配置されていること、制御部２０等が装着されているので重量が他方扉体１５に比較して重くなることおよびこの実施形態では右利き用に設計してあることから、この一方扉体１１を手持ち側としてある。
【００４８】
かくして、メニュー入力を安定して行えるとともに、信号線の多いタッチパネル付き表示器４０とその駆動制御回路（Ｉ／Ｆ）４０Ｄとを近接位置できるから、性能を高められる。しかも、外部ノイズの影響や電力ロスを軽減できる。
【００４９】
また、図１に示す表示面４１Ｇの下方定位置に設けられた押圧データ入力キー部５０の押圧データ入力キー５１Ｋを押圧操作して、入力された数量（例えば、“２”）も表示面４１Ｇに表示される。ただし、数量（“１”）は自動入力とし、数量“２”以上の場合に押圧データ入力キー５１Ｋを用いて入力するように形成してある。
【００５０】
この押圧データ入力キー部５０は、オーダーメニュー以外のデータを入力するためのものでかつ入力使用頻度の高い、押圧データ入力キー５１Ｋからなる。この実施形態では、図１に示す“０”〜“９”を入力する置数キー，“Ｔ”と記した転送キー，“Ｅ”と記したエンターキー，“Ｃ”と記したクリアーキーである。
【００５１】
かくすれば、押圧データ入力キー５１Ｋを、分類キー６１Ｋと隣接させて他方扉体１５側に設ける場合に比較して、押圧データ入力キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取い扱いが一段と容易である。
【００５２】
また、図１，図２に示す上方の定位置表示部４２は、閉じた状態を示す図２に示す覗き窓１７に対応する定位置とされている。この定位置表示部４２には、表示メニューキー４１Ｋでない情報も表示され得る。つまり、図１に示す見開き状態（使用状態）で表示メニューキー４１Ｋを表示可能な部位（４２）に、他の情報も表示することができる。
【００５３】
したがって、表示面４１Ｇに情報表示用の専門部位を格別に設けなくてもよいから、本体（１１，１５）小型化を図りつつ見開き状態時の表示メニューキー４１Ｋの数をより増大することができる。
【００５４】
さらに、この実施形態では、呼出しメッセージ，通信エラーメッセージおよびバッテリー情報の３つの情報を表示可能に形成してある。例えば、“空きテーブルに客を案内せよ”，”調理完了メニューを配膳せよ”等の呼出しメッセージ、“当該場所は電波が弱い”や“通信不調”等を含む通信エラーメッセージ、“電池交換すべき”等のバッテリー情報が表示される。したがって、結果としてミス入力を防止できかつその後のメニュー入力をより確実に行えるとともに、業務能率を向上できる。
【００５５】
図５において、オーダー管理手段を形成するステーション（ＳＴＮ）７０は、ＣＰＵ７１，ＲＯＭ７２，ＲＡＭ７３，ＨＤＤ（ハードディスク装置）７４，キーボード（ＫＢ）７５，表示器（ＩＮＤ）７６，無線親局７８が接続されたインターフェイス（Ｉ／Ｆ）およびデーター通信回線７９用のインターフェイス（Ｉ／Ｆ）を含み、オーダーデータを座席別に一括管理可能である。
【００５６】
ＲＡＭ７３内には、オーダー（売上）ファイル７３ＯＦと座席管理ファイル（図示省略）と分類別メニューファイル７３ＭＦとが設けられている。この分類別メニューファイル７３ＭＦは、図４に示すメニューテーブル２３ＭＴの場合と同様である。ただし、入力回数欄は設けていない。
【００５７】
分類別メニューファイル７３ＭＦに記憶された分類（キー）および当該複数メニューは、表示器７６で目視確認しつつキーボード７５のキー操作で設定変更することができる。つまり、各ハンディターミナル１０の上位機を形成するステーション７０側で各分類に属するメニューを追加・変更・削除すれば、各ハンディターミナル１０に画一的に反映させることができる。
【００５８】
ここにおいて、ハンディターミナル１０の分類キー６１Ｋを押圧操作した場合（図６のＳＴ１０でＹＥＳ）に、一覧表示制御手段（ＣＰＵ２１，ＲＯＭ２２）がメニューテーブル２３ＭＴに記憶されている当該分類（６１Ｋ）に属する複数のメニュー（４１Ｋ）をタッチパネル付き表示器４０に一覧表示（ＳＴ１１，ＳＴ１４のＹＥＳ，ＳＴ２０）する。
【００５９】
この際に、入力頻度検出手段（ＣＰＵ２１，ＲＯＭ２２）が、当該分類キー６１Ｋの入力頻度（入力回数Ｎ）を検出［この実施形態では、歩進（Ｎ＝Ｎ＋１）］する（ＳＴ１２）。そして、入力頻度対応記憶制御手段（ＣＰＵ２１，ＲＯＭ２２）が、図４に示すように、検出された入力頻度入力回数Ｎ）をメニューテーブル２３ＭＴに記憶されている当該分類キー６１Ｋに対応させて記憶（反映…更新）する（ＳＴ１３）。
【００６０】
また、表示されたメニューをタッチ操作（ＳＴ２１のＹＥＳ）することにより当該メニューを入力することができ、かつ入力されたメニューは登録制御手段（ＣＰＵ２１，ＲＯＭ２２）によってオーダーテーブル２３ＯＴに登録（ＳＴ２２）される。
【００６１】
オーダーテーブル２３ＯＴに登録（ＳＴ２０）されたオーダーメニューは、転送要求（“Ｔ”キーの押圧操作）があったときに、座席等を含むオーダーデータとしてステーション７０に無線転送される（ＳＴ２３，ＳＴ２４）。ステーション７０では、受信した当該オーダーデータをオーダーファイル７３ＯＦに記憶（登録）する（図７のＳＴ３４でＹＥＳ，ＳＴ３５）。
【００６２】
しかし、ハンディターミナル１０側において、記憶有無判別手段（ＣＰＵ２１，ＲＯＭ２２）によって、押圧操作された分類キー６１Ｋに属する複数のメニューがメニューテーブル２３ＭＴに記憶されていないと判別された場合（ＳＴ１４のＮＯ）には、問合手段（ＣＰＵ２１，ＲＯＭ２３）が、当該分類に属するメニューについてオーダー管理手段（７０）に問い合わせる（ＳＴ１５）。
【００６３】
オーダー管理手段（７０）側では、ハンディターミナル１０からの問い合わせを受信（図７のＳＴ３０でＹＥＳ）すると、メニュー抽出手段（ＣＰＵ７１，ＲＯＭ７２）が分類別メニューファイル７３ＭＴを検索して当該分類に属する複数メニューを抽出（ＳＴ３１，ＳＴ３２）する。
【００６４】
引き続き、応答手段（ＣＰＵ７１，ＲＯＭ７２）が、抽出された複数メニューを当該ハンディターミナル１０に応答する（ＳＴ３３）。
【００６５】
ハンディターミナル１０側では、オーダー管理手段７０から応答を受信（図６ＳＴ１６でＹＥＳ）すると、記憶制御手段（ＣＰＵ２１，ＲＯＭ２２）が、複数のメニューを当該分類（６１Ｋ）に対応させてメニューテーブル２３ＭＴに記憶（ＳＴ１９）する。
【００６６】
この記憶は、入力頻度の多い分類キー６１Ｋの複数メニューについて優先的に実行される。具体的には、判別手段（ＣＰＵ２１，ＲＯＭ２２）と削除手段（ＣＰＵ２１，ＲＯＭ２２）とを設け、メニューテーブル２３ＭＴが記憶フル（約１００パーセント）である場合（ＳＴ１７のＹＥＳ）に、入力頻度（Ｎ）の一番少ない分類キー６１Ｋを判別しかつ当該分類キー６１Ｋに属する複数メニューを削除（ＳＴ１８）してから、記憶制御手段（ＣＰＵ２１，ＲＯＭ２２）が受信した新規のメニューを記憶（ＳＴ１９）する。
【００６７】
すなわち、メニューテーブル２３ＭＴの記憶容量を全ての分類キー６１Ｋに属する膨大なメニューを記憶させておく大容量にしておかなくても、入力頻度（Ｎ）の多い分類キー６１Ｋに属するメニューを能率よく記憶させておくことができるわけである。
【００６８】
なお、例えば各分類キー６１Ｋについての記憶容量を一定化しておき、記憶制御手段（ＣＰＵ２１，ＲＯＭ２２）を入力頻度が一番少ない分類キー６１Ｋに属する複数メニュー上にステーション７０から応答された新規複数メニューをオーバーライト（上書き保存）するように形成し、削除手段を入力頻度が一番少ない分類キー６１Ｋに属する複数メニューを削除したものとみなすように形成してもよい。かくすれば、新規メニューの一段の記憶処理高速化を図れる。
【００６９】
かかる第１の実施形態では、係員は手持ち側の一方扉体１１を左手で持ち、図１に示すように本体（１１，１５）を見開き状態とする。つまり、ヒンジ１９を中心に、両扉体１１，１５を左右に開く。センサ（ＳＮＲ）部３０がこれを検出する。これにより、定位置表示部４２への情報表示を禁止する。
【００７０】
そして、入力しようとするメニューが、タッチパネル付き表示器４０（４０Ｇ）に表示メニューキー４１Ｋとして一覧表示されている場合には、当該メニューキー４１Ｋをタッチ操作することにより当該メニューを入力することができる（図６のＳＴ２１，ＳＴ２２）。
【００７１】
当該メニューが一覧表示されていない場合には、当該メニュー（４１Ｋ）が属する分類キー６１Ｋを押圧操作する（ＳＴ１０のＹＥＳ）。すると、記憶有無判別手段（ＣＰＵ２１，ＲＯＭ２２）が、押圧操作された分類キー６１Ｋに属する複数のメニューがメニューテーブル２３ＭＴに記憶されているか否かを判別する（ＳＴ１４）。
【００７２】
存在しない（記憶がない）と判別（ＳＴ１４のＮＯ）されると、問合手段（ＣＰＵ２１，ＲＯＭ２２）が当該分類キー６１Ｋに属するメニューをオーダー管理手段（７０）に問い合わせる（ＳＴ１５）。
【００７３】
この問い合わせを受けたオーダー管理手段（７０）側のメニュー抽出手段（ＣＰＵ７１，ＲＯＭ７２）は、分類別メニューファイル７３ＭＦを検索して当該分類キー６１Ｋに属する複数メニューを抽出する（図７のＳＴ３０〜ＳＴ３２）。抽出されたメニューは、応答手段（ＣＰＵ７１，ＲＯＭ７２）によって、当該ハンディターミナルに応答される（ＳＴ３３）。
【００７４】
かくして、ハンディターミナル１０側の記憶制御手段（ＣＰＵ７１，ＲＯＭ７２）は、オーダー管理手段（７０）から応答されたメニューを当該分類キー６１Ｋに対応させてメニューテーブル２３ＭＴに記憶する（図６のＳＴ１９）。
【００７５】
したがって、当該分類に属する複数のメニューを、タッチパネル付き表示器４０に一覧表示することができる（ＳＴ２０）。つまり、この表示メニュー４１Ｋをタッチ操作することにより、当該メニューを入力することができる。
【００７６】
すなわち、ハンディターミナル１０の小型化およびメモリ（２３ＭＴ）の小容量化を図りつつメニューキー（４１Ｋ）を大幅に増大できるとともにタッチ操作でよいから取い扱いが容易であり、迅速かつ正確なメニュー入力を行える。
【００７７】
しかも、各分類キー６１Ｋごとに常に正確な当該複数メニューを記憶更新しなくてもよいから、各ハンディターミナル１０における個別的な準備的作業を大幅に簡略化できかつ取い扱いが簡単である。さらに各ハンディターミナル１０のメニューテーブル２３ＭＴに分類キー６１Ｋの押圧操作をすることにより当該分類のメニューを自動的に設定記憶させられるので、必要なメニューを効率よく記憶・入力することができかつ格別の設定操作が一掃可能である。
【００７８】
また、この実施形態では、入力業務中における分類キー６１Ｋの押圧操作を利用して、メニューテーブル２３ＭＴに入力頻度の多い分類キー６１Ｋの複数メニューを優先的に記憶可能に形成されている。したがって、メニューテーブル２３ＭＴのメモリ容量を一段と小さくし、ハンディターミナル１０の一層の小型軽量化および節電化を促進するためである。
【００７９】
具体的には、分類キー６１Ｋの押圧操作が行われる（図６のＳＴ１０でＹＥＳ）と、入力頻度検出手段（ＣＰＵ２１，ＲＯＭ２２）が、当該分類キー６１Ｋ（上位概念メニュー）の入力頻度（Ｎ）を検出する（ＳＴ１１）。
【００８０】
このようにして検出された入力頻度（Ｎ）は、入力頻度対応記憶制御手段（ＣＰＵ２１，ＲＯＭ２２）によって、メニューテーブル２３ＭＴに記憶されている当該分類キー６１Ｋに対応させて記憶される（ＳＴ１３）。また、判別手段（ＣＰＵ２１，ＲＯＭ２２）は、入力頻度（Ｎ）の一番少ない分類キー６１Ｋを判別し、必要によって検出結果を記憶しておく。
【００８１】
かくして、メニューテーブル２３ＭＴが記憶フル（ＳＴ１７のＹＥＳ）でかつオーダー管理手段（７０）から新規メニューの応答があった場合（ＳＴ１６のＹＥＳ）、予め記憶されまたはその場で検出された入力頻度（Ｎ）の一番少ない分類（６１Ｋ）がわかるから、削除手段（ＣＰＵ２１，ＲＯＭ２２）が入力頻度の一番少ない分類キー６１Ｋに属する複数メニューをメニューテーブル２３ＭＴから削除する（ＳＴ１８）。
【００８２】
しかる後に、記憶制御手段（ＣＰＵ２１，ＲＯＭ２２）が、オーダー管理手段（７０）から応答された新規メニューをメニューテーブル２３ＭＴに記憶する（ＳＴ１９）。したがって、メニューテーブル２３ＭＴの一層の小容量化を図れるとともに、不必要なメニューに関する記憶保持および検索処理を一掃できる。
【００８３】
その後に、オーダーメニューの入力を終了した係員は、本体（１１，１５）を図２に示すように閉じる。タッチパネル付き表示器４０等の保護および携帯便宜のためである。
【００８４】
制御部２０は、無線通信部（ＷＬＴ）３５を介してオーダ−管理手段（７０）から、情報を受信すると、当該情報をタッチパネル付き表示器４０の上方の定位置表示部４２に表示する。したがって、係員は、外部から覗き窓１７を通してこの情報を目読できるから、当該情報に最適な行動を迅速にとれる。例えば、押圧データ入力キー（クリアキー）５１Ｋを用いるために、本体（１１，１５）を図１に示す如く見開くと、当該情報は表示がクリアされる。
【００８５】
しかして、この第１の実施形態によれば、ハンディターミナル１０の分類キー６１Ｋを押圧操作した場合にメニューテーブル２３ＭＴに記憶されている当該分類（６１Ｋ）に属する複数のメニューをタッチパネル付き表示器４０に一覧表示可能かつ表示されたメニュー（４１Ｋ）をタッチ操作することにより当該メニューを入力可能であるとともに、押圧操作された分類キー６１Ｋに属する複数のメニューがメニューテーブル２３ＭＴに記憶されていない場合に、当該分類に属するメニューについてオーダー管理手段（７０）に問い合わせかつオーダー管理手段（７０）から応答された複数のメニューを当該分類キー６１Ｋに対応させてメニューテーブル２３ＭＴに記憶可能に形成されているので、ハンディターミナル１０の小型化およびメモリの小容量化を図りつつメニューキー４１Ｋを大幅に増大できるとともにタッチ操作でよいから取い扱いが容易であり、迅速かつ正確なメニュー入力を行える。しかも、各分類キー６１Ｋごとに常に正確な当該複数メニューを記憶更新しなくてもよいから、各ハンディターミナル１０における個別的な準備的作業を大幅に簡略化できかつ取い扱いが簡単である。
【００８６】
また、ハンディターミナル１０側に記憶有無判別手段（ＣＰＵ２１，ＲＯＭ２２）と，問合手段（ＣＰＵ２１，ＲＯＭ２２）と，記憶制御手段（ＣＰＵ２１，ＲＯＭ２２）とを設け、かつオーダー管理手段（７０）側に分類別メニューファイル７３ＭＦと，メニュー抽出手段（ＣＰＵ７１，ＲＯＭ７２）と，応答手段（ＣＰＵ７１，ＲＯＭ７２）とを設け、押圧操作された分類キー６１Ｋに属する複数のメニューがメニューテーブル２３ＭＴに記憶されてないと判別された場合にオーダー管理手段（７０）から応答されたメニューを当該分類キー６１Ｋに対応させてメニューテーブル２３ＭＴに記憶可能に形成されているので、各ハンディターミナル１０の分類キー６１Ｋの押圧操作をすることにより、当該各分類キー６１Ｋに属する各複数メニューを自動的にメニューテーブル２３ＭＴに設定記憶させることができる。かくして、必要なメニューを効率よく記憶・入力することができかつ格別のメニュー設定操作が一掃可能である。しかも、一段と取い扱いが容易である。
【００８７】
また、メニューテーブル２３ＭＴに入力頻度の多い分類キー６１Ｋの複数メニューを優先的に記憶可能に形成されているので、各ハンディターミナル１０の使用状況に応じたメニュー設定を個別的かつ自動的に行えるので実務に即応した運用ができるとともに、メニューテーブル２３ＭＴのメモリ容量を小さくでき、ハンディターミナル１０の一層の小型軽量化および節電化を促進できる。
【００８８】
また、ハンディターミナル１０に、入力頻度検出手段（ＣＰＵ２１，ＲＯＭ２２）と，入力頻度対応記憶制御手段（ＣＰＵ２１，ＲＯＭ２２）と，判別手段（ＣＰＵ２１，ＲＯＭ２２），削除手段（ＣＰＵ２１，ＲＯＭ２２）とを設け、メニューテーブル２３ＭＴが記憶フルの場合に入力頻度が一番少ない分類キーに属する複数メニューの削除後にオーダー管理手段（７０）から応答された新規メニューを記憶可能に形成されているので、メニューテーブル２３ＭＴの一層の小容量化を図れるとともに、不必要なメニューに関する記憶保持および検索処理を一掃できる。
【００８９】
さらに、他方扉体１５に、本体（１１，１５）を閉じた状態において、当該他方扉体１５の外面１５Ｏ側から一方扉体１１のタッチパネル付き表示器４０の定位置（４２）に表示された情報を目読可能な覗き窓１７が設けられているので、不使用状態における構成要素の保護を担保しつつタッチパネル付き表示器４０の表示面４１Ｇを有効利用できるとともに、品切れメニューや空きテーブル等に関する情報伝達機能を付加できる。
【００９０】
さらに、表示情報が、呼出しメッセージ，通信エラーメッセージおよびバッテリー情報とされているので、結果としてミス入力を防止できかつその後のメニュー入力をより確実に行えるとともに、業務能率を向上できる。
【００９１】
さらに、一方扉体１１の内面１１Ｉの定位置（５０）に、オーダーメニュー以外のデータを入力するためのものでかつ入力使用頻度の高い押圧データ入力キー（置数キー，伝送キーＴ，エンターキーＥ，クリアキーＣ）５１Ｋが設けられているので、この押圧データ入力キー５１Ｋを他方扉体１５側の分類キー６１Ｋと隣接させて当該他方扉体１５側に設ける場合に比較して、押圧データ入力キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００９２】
さらにまた、一方扉体１１が手持ち側とされているので、より一段と取扱い容易であるとともに、制御部２０やタッチパネル付き表示器４０の駆動制御回路４０Ｄ等を信号線の多いタッチパネル付き表示器４０に近接して配置できるから、性能を向上できかつコスト低減も図れる。
【００９３】
さらにまた、一方扉体１１側の表示メニューキー４１Ｋの平面面積が他方扉体１５側の分類キー６１Ｋの平面面積よりも大きいので、最終的なメニュー入力頻度が多い表示メニューキー４１Ｋのミス操作を確実に防止できかつタッチ操作が一段と容易になる。この点からも、迅速なメニュー入力ができる。
【００９４】
（第２の実施形態）
この第２の実施形態は、図８に示される。
【００９５】
この実施形態では、例えば、分類キー（例えば、“サラダ”キー）６１Ｋを押圧操作すると、当該分類（“サラダ”）キー６１Ｋに属する複数の表示メニュー（“和風サラダ”，“サウザンサラダ”，“フレンチサラダ”，“ポテトサラダ”，“ツナサラダ”等）キー４１Ｋが、図８に示すように、スクロール表示部４３にスクロール表示（一覧表示）可能に形成されている。したがって、第１の実施形態の場合に比較して、より多くの表示メニューキー４１Ｋを表示できると理解される。
【００９６】
このスクロール表示された表示メニュー（例えば、“和風サラダ”）キー４１Ｋの平面面積も、分類キー（“サラダ”）６１Ｋの平面面積よりも大きい。さらに、表示メニュー（“Ｘ１”）キー４１Ｋよりも更に大きい。図３では図示省略したがマウスポインタ等によるクリック容易化のためである。
【００９７】
【発明の効果】
請求項１の発明によれば、ハンディターミナルの分類キーを押圧操作した場合にメニューテーブルに記憶されている当該分類に属する複数のメニューをタッチパネル付き表示器に一覧表示可能かつ表示されたメニューをタッチ操作することにより当該メニューを入力可能であるとともに、押圧操作された分類キーに属する複数のメニューがメニューテーブルに記憶されていない場合に、当該分類に属するメニューについてオーダー管理手段に問い合わせ可能かつオーダー管理手段から応答された複数のメニューを当該分類キーに対応させてメニューテーブルに記憶可能に形成されたオーダーデータ処理装置であるから、ハンディターミナルの小型化およびメモリの小容量化を図りつつメニューキーを大幅に増大できるとともに、タッチ操作でよいから取い扱いが容易であり、迅速かつ正確なメニュー入力を行える。しかも、各分類キーごとに常に正確な当該複数メニューを記憶更新しなくてもよいから、各ハンディターミナルにおける個別的な準備的作業を大幅に簡略化できかつ取い扱いが簡単である。
【００９８】
また、請求項２の発明によれば、ハンディターミナル側に記憶有無判別手段と問合手段と記憶制御手段とを設け、かつオーダー管理手段側に分類別メニューファイルとメニュー抽出手段と応答手段とを設け、押圧操作された分類キーに属する複数のメニューがメニューテーブルに記憶されてないと判別された場合にオーダー管理手段から応答されたメニューを当該分類キーに対応させてメニューテーブルに記憶可能に形成されているので、請求項１の発明の場合と同様な効果を奏し得ることはもとより、さらに各ハンディターミナルの分類キーの押圧操作をすることにより、当該各分類キーに属する各複数メニューを自動的にメニューテーブルに設定記憶させることができる。よって、必要なメニューを効率よく記憶・入力することができかつ格別のメニュー設定操作が一掃可能である。しかも、一段と取い扱いが容易である。
【００９９】
また、請求項３の発明によれば、メニューテーブルに入力頻度の多い分類キーの複数メニューを優先的に記憶可能に形成されているので、請求項１および請求項２の発明の場合と同様な効果を奏することができることに加え、さらに各ハンディターミナルの使用状況に応じたメニュー設定を個別的かつ自動的に行えるので実務に即応した運用ができるとともに、メニューテーブルのメモリ容量を小さくでき、ハンディターミナルの一層の小型軽量化および節電化を促進できる。
【０１００】
さらに、請求項４の発明によれば、ハンディターミナルに入力頻度検出手段と入力頻度対応記憶制御手段と判別手段と削除手段とを設け、メニューテーブルが。記憶フルの場合に、入力頻度が一番少ない分類キーに属する複数メニューの削除後にオーダー管理手段から応答された新規メニューを記憶可能に形成されているので、請求項２および請求項３の発明の場合と同様な効果を奏することができることに加え、さらにメニューテーブルの一層の小容量化を図れるとともに、不必要なメニューに関する記憶保持および検索処理を一掃できる。
【０１０１】
さらにまた、請求項５の発明によれば、削除手段が、記憶制御手段によってメニューテーブルに記憶されている入力頻度が一番少ない分類キーに属する複数メニュー上にオーダー管理手段から応答された新規メニューがオーバーライトされることにより、当該複数メニューを削除したものと形成されているので、請求項４の発明の場合と同様な効果を奏することができることに加え、さらに新規メニューの記憶高速化を図れる。
【図面の簡単な説明】
【図１】本発明の第１の実施形態に係るハンディターミナル本体の見開き状態を説明するための平面図である。
【図２】同じく、閉じた状態で他方扉体の外面側から見た平面図である。
【図３】同じく、ハンディターミナルの全体構成を説明するためのブロック図である。
【図４】同じく、メニューテーブルを説明するための図である。
【図５】同じく、オーダー管理手段を説明するためのブロック図である。
【図６】同じく、ハンディターミナル側の動作を説明するためのフローチャートである。
【図７】同じく、オーダー管理手段側の動作を説明するためのフローチャートである。
【図８】本発明の第２の実施形態を説明するための図である。
【図９】本発明および従来例にかかるハンディターミナルを使用するオーダーデータ処理装置の１例を説明するための図である。
【図１０】従来例のハンディターミナル（１）を説明するための図である。
【図１１】従来例のハンディターミナル（２）を説明するための図である。
【符号の説明】
１０  ハンディターミナル（オーダーデータ処理装置）
１１  一方扉体
１５  他方扉体
２０  制御部
２１  ＣＰＵ（記憶有無判別手段，問合手段，記憶制御手段、入力頻度検出手段，入力頻度応答記憶制御手段，判別手段，削除手段）
２２  ＲＯＭ（記憶有無判別手段，問合手段，記憶制御手段、入力頻度検出手段，入力頻度応答記憶制御手段，判別手段，削除手段）
２３  ＲＡＭ
２３ＭＴ  メニューテーブル
２３ＯＴ  オーダーテーブル
４０  タッチパネル付き表示器
４１Ｇ  表示面
４１Ｋ  表示メニューキー（メニュー）
４２  定位置表示部
４３  スクロール表示部
５０  押圧データ入力キー部
５１Ｋ  押圧データ入力キー
６０  分類キー部
６１Ｋ  分類キー（分類）
７０  ステーション（オーダー管理手段…オーダーデータ処理装置）
７１  ＣＰＵ（メニュー抽出手段，応答手段）
７２  ＲＯＭ（メニュー抽出手段，応答手段）
７３  ＲＡＭ
７３ＭＦ  分類別メニューファイル
７３ＯＦ  オーダーファイル
【図１】
0003795224.tif 000002
【図２】
0003795224.tif 000003
【図３】
0003795224.tif 000004
【図４】
0003795224.tif 000005
【図５】
0003795224.tif 000006
【図６】
0003795224.tif 000007
【図７】
0003795224.tif 000008
【図８】
0003795224.tif 000009
【図９】
0003795224.tif 000010
【図１０】
0003795224.tif 000011
【図１１】
0003795224.tif 000012